【手続補正書】
【提出日】平成30年6月8日(2018.6.8)
【手続補正１】
【補正対象書類名】明細書
【補正対象項目名】００９０
【補正方法】変更
【補正の内容】
【００９０】
本明細書に引用した特許、特許文献、及び特許出願は、恰もそれぞれが参照によって個
々に援用されているものと同様にして、それらの全容を参照によって援用するものである
。上記より設定される発明の概念から逸脱することなく様々な変更及び改変を行いうるこ
とは当業者には明らかであろう。したがって、本開示の範囲は本明細書に述べられる構造
に限定されるべきではない。上記の実施形態及び実施例の詳細には、本発明の基礎をなす
原理から逸脱することなく多くの変更を加えることができる点は当業者に認識されるであ
ろう。更に、本発明の様々な改良及び変更が本発明の趣旨及び範囲から逸脱せずに実施で
きることは、当業者には明らかであろう。したがって、本願の範囲は、以下の「特許請求
の範囲」及びそれと等価なものによってのみ定められるべきである。
以下、本発明の態様について説明する。
〔態様１〕
補修用コンパウンドであって、
ラテックス樹脂又は樹脂結合剤と、
増粘剤と、
繊維と、
充填剤材料と、を含み、
前記補修用コンパウンドは、擬塑性型挙動を示し、４．０ｌｂｓ／ｇａｌ以下の密度を有する補修用コンパウンド。
〔態様２〕
前記ラテックス樹脂又は前記樹脂結合剤は、ビニルアクリルポリマー又はコポリマー、アクリルポリマー又はコポリマー、アクリレートポリマー又はコポリマー、ポリ酢酸ビニルポリマー又はコポリマー、エチレン酢酸ビニルポリマー又はコポリマー、スチレン−ブタジエンポリマー又はコポリマー、ポリアクリルアミドポリマー又はコポリマー、天然ゴムラテックス、天然デンプン、合成デンプン、及び／又はカゼインのうちの１つである、態様１に記載の補修用コンパウンド。
〔態様３〕
前記ラテックス樹脂又は前記樹脂結合剤は、１００％アクリレートである、態様１又は２に記載の補修用コンパウンド。
〔態様４〕
前記ラテックス樹脂又は前記樹脂結合剤は、樹脂ブレンドを含む、態様１〜３のいずれか一項に記載の補修用コンパウンド。
〔態様５〕
前記樹脂ブレンドは、１つのラテックス樹脂と１つの非ラテックス樹脂とを含む、態様４に記載の補修用コンパウンド。
〔態様６〕
前記ラテックス樹脂又は前記樹脂結合剤は、少なくとも１５のＴｇを有する、態様１〜５のいずれか一項に記載の補修用コンパウンド。
〔態様７〕
前記ラテックス樹脂又は前記樹脂結合剤は、少なくとも２５のＴｇを有する、態様１〜６のいずれか一項に記載の補修用コンパウンド。
〔態様８〕
前記増粘剤は、親水性アルカリ膨潤性エマルションである、態様１〜７のいずれか一項に記載の補修用コンパウンド。
〔態様９〕
前記増粘剤は、ポリエチレングリコール、ポリエチレンオキシド（及び／又はポリエチレンオキシド／ポリプロピレンオキシドコポリマー）、ポリビニルアルコール、アクリル酸及びアクリルアミドのようなエチレン性不飽和カルボン酸及びその誘導体のポリマー又はコポリマー、グアーガム、キサンタンガム、アルギン酸塩、トラガカントガム、ペクチン、アミロペクチン、デキストラン、ポリデキストロース、及び／又は多糖類及びこれらの誘導体の少なくとも１つを含む、態様１〜８のいずれか一項に記載の補修用コンパウンド。
〔態様１０〕
前記増粘剤は、約１重量％未満の量で存在する、態様１〜９のいずれか一項に記載の補修用コンパウンド。
〔態様１１〕
２種類の繊維を更に含む、態様１〜１０のいずれか一項に記載の補修用コンパウンド。
〔態様１２〕
第１の繊維の種類は、１つの呼び長さを有し、第２の繊維の種類は、１つの呼び長さを有し、第１の繊維の種類の前記呼び長さは、第２の繊維の種類の前記呼び長さよりも小さい、態様１１に記載の補修用コンパウンド。
〔態様１３〕
第１の繊維の種類の前記呼び長さは、第２の繊維の種類の前記呼び長さの１０分の１以下である、態様１２に記載の補修用コンパウンド。
〔態様１４〕
前記繊維は、疎水性乾燥フィブリル化ポリエチレン繊維と親水性レーヨン繊維とを含む、態様１１に記載の補修用コンパウンド。
〔態様１５〕
前記充填剤は、合成無機充填剤を含む、態様１〜１４のいずれか一項に記載の補修用コンパウンド。
〔態様１６〕
より大きい合成無機充填剤粒子と、より小さい合成無機充填剤粒子との二峰性の粒径混合物を含む、態様１５に記載の補修用コンパウンド。
〔態様１７〕
前記より小さい粒径の合成無機充填剤粒子に対する前記より大きい粒径の合成無機充填剤粒子の粒径比は、少なくとも約５：１である、態様１６に記載の補修用コンパウンド。
〔態様１８〕
前記合成無機充填剤は、実質的に球形の粒子で構成される、態様１５〜１７のいずれか一項に記載の補修用コンパウンド。
〔態様１９〕
前記充填剤は、ガラスバブルである、態様１５〜１８のいずれか一項に記載の補修用コンパウンド。
〔態様２０〕
接着促進剤、活性化剤、ｐＨ調整剤、着色剤、プライマー、平滑剤、水、及び／又は防腐剤を更に含む、態様１〜１９のいずれか一項に記載の補修用コンパウンド。
〔態様２１〕
二酸化チタンを更に含む、態様１〜２０のいずれか一項に記載の補修用コンパウンド。
〔態様２２〕
前記二酸化チタンは、約５重量％〜約２０重量％の量で存在する、態様２１に記載の補修用コンパウンド。
〔態様２３〕
前記補修用コンパウンドは、少なくとも５サイクルの凍結／解凍安定性を有する、態様１〜２２のいずれか一項に記載の補修用コンパウンド。
〔態様２４〕
ラテックス樹脂又は樹脂結合剤と、
増粘剤と、
更に２種類の繊維と、
ガラスバブルと、を含む補修用コンパウンド。
〔態様２５〕
第１の繊維の種類は、１つの呼び長さを有し、第２の繊維の種類は、１つの呼び長さを有し、第１の繊維の種類の前記呼び長さは、第２の繊維の種類の前記呼び長さよりも小さい、態様２４に記載の補修用コンパウンド。
〔態様２６〕
第１の繊維の種類の前記呼び長さは、第２の繊維の種類の前記呼び長さの１０分の１以下である、態様２４又は２５に記載の補修用コンパウンド。
〔態様２７〕
前記繊維は、疎水性乾燥フィブリル化ポリエチレン繊維と親水性レーヨン繊維とを含む、態様２４〜２６のいずれか一項に記載の補修用コンパウンド。
〔態様２８〕
前記ラテックス樹脂又は前記樹脂結合剤は、ビニルアクリルポリマー又はコポリマー、アクリルポリマー又はコポリマー、アクリレートポリマー又はコポリマー、ポリ酢酸ビニルポリマー又はコポリマー、エチレン酢酸ビニルポリマー又はコポリマー、スチレン−ブタジエンポリマー又はコポリマー、ポリアクリルアミドポリマー又はコポリマー、天然ゴムラテックス、天然デンプン、合成デンプン、及び／又はカゼインのうちの１つである、態様２４〜２７のいずれか一項に記載の補修用コンパウンド。
〔態様２９〕
前記ラテックス樹脂又は前記樹脂結合剤は、１００％アクリレートである、態様２４〜２８のいずれか一項に記載の補修用コンパウンド。
〔態様３０〕
前記ラテックス樹脂又は前記樹脂結合剤は、樹脂ブレンドを含む、態様２４〜２９のいずれか一項に記載の補修用コンパウンド。
〔態様３１〕
前記樹脂ブレンドは、１つのラテックス樹脂と１つの非ラテックス樹脂とを含む、態様３０に記載の補修用コンパウンド。
〔態様３２〕
前記ラテックス樹脂又は前記樹脂結合剤は、少なくとも１５のＴｇを有する、態様２４〜３１のいずれか一項に記載の補修用コンパウンド。
〔態様３３〕
前記ラテックス樹脂又は前記樹脂結合剤は、少なくとも２５のＴｇを有する、態様２４〜３２のいずれか一項に記載の補修用コンパウンド。
〔態様３４〕
前記増粘剤は、親水性アルカリ膨潤性エマルションである、態様２４〜３３のいずれか一項に記載の補修用コンパウンド。
〔態様３５〕
前記増粘剤は、ポリエチレングリコール、ポリエチレンオキシド（及び／又はポリエチレンオキシド／ポリプロピレンオキシドコポリマー）、ポリビニルアルコール、アクリル酸及びアクリルアミドのようなエチレン性不飽和カルボン酸及びその誘導体のポリマー又はコポリマー、グアーガム、キサンタンガム、アルギン酸塩、トラガカントガム、ペクチン、アミロペクチン、デキストラン、ポリデキストロース、及び／又は多糖類及びこれらの誘導体の少なくとも１つを含む、態様２４〜３４のいずれか一項に記載の補修用コン
パウンド。
〔態様３６〕
前記増粘剤は、約１重量％未満の量で存在する、態様２４〜３５のいずれか一項に記載の補修用コンパウンド。
〔態様３７〕
前記充填剤は、合成無機充填剤を含む、態様２４〜３６のいずれか一項に記載の補修用コンパウンド。
〔態様３８〕
より大きい合成無機充填剤粒子と、より小さい合成無機充填剤粒子との二峰性の粒径混合物を含む、態様３７に記載の補修用コンパウンド。
〔態様３９〕
前記より小さい粒径の合成無機充填剤粒子に対する前記より大きい粒径の合成無機充填剤粒子の粒径比は、少なくとも約５：１である、態様３８に記載の補修用コンパウンド。
〔態様４０〕
前記合成無機充填剤は、実質的に球形の粒子で構成される、態様３７〜３９のいずれか一項に記載の補修用コンパウンド。
〔態様４１〕
前記充填剤は、ガラスバブルである、態様３７〜４０のいずれか一項に記載の補修用コンパウンド。
〔態様４２〕
接着促進剤、活性化剤、ｐＨ調整剤、着色剤、プライマー、平滑剤、水、及び／又は防腐剤を更に含む、態様２４〜４１のいずれか一項に記載の補修用コンパウンド。
〔態様４３〕
二酸化チタンを更に含む、態様２４〜４２のいずれか一項に記載の補修用コンパウンド。
〔態様４４〕
前記二酸化チタンは、約５重量％〜約２０重量％の量で存在する、態様４３に記載の補修用コンパウンド。
〔態様４５〕
前記補修用コンパウンドは、少なくとも５サイクルの凍結／解凍安定性を有する、態様２４〜４４のいずれか一項に記載の補修用コンパウンド。
〔態様４６〕
前記補修用コンパウンドは、擬塑性型挙動を示し、４．０ｌｂｓ／ｇａｌ以下の密度を有する、態様２４〜４４のいずれか一項に記載の補修用コンパウンド。
〔態様４７〕
態様１〜４６のいずれか一項に記載の補修用コンパウンドと、
前記補修用コンパウンドを適用、平滑化、又は除去するためのツールと、を備えるキット。
〔態様４８〕
前記キット及び／又は前記補修用コンパウンド及び／又は前記ツールを使用するための説明書を更に含む、態様４７に記載のキット。
〔態様４９〕
穴を補修する方法であって、
ある量の、態様１〜４６のいずれか一項に記載の補修用コンパウンドを得る工程と、
ある量の前記補修用コンパウンドを前記穴に適用する工程と、を含む、方法。
〔態様５０〕
前記補修用コンパウンドは、パン生地様の粘稠性を有し、更に前記適用する工程は、
前記の量の前記補修用コンパウンドをユーザーの手で成形する工程と、
成形量の前記補修用コンパウンドを前記穴に押し込む工程と、を含む、態様４９に記
載の方法。
【手続補正２】
【補正対象書類名】特許請求の範囲
【補正対象項目名】全文
【補正方法】変更
【補正の内容】
【特許請求の範囲】
【請求項１】
補修用コンパウンドであって、
ラテックス樹脂又は樹脂結合剤と、
増粘剤と、
繊維と、
充填剤材料と、を含み、
前記補修用コンパウンドは、擬塑性型挙動を示し、４．０ｌｂｓ／ｇａｌ以下の密度を有する補修用コンパウンド。
【請求項２】
２種類の繊維を更に含む、請求項１に記載の補修用コンパウンド。
【請求項３】
第１の繊維の種類は、１つの呼び長さを有し、第２の繊維の種類は、１つの呼び長さを有し、第１の繊維の種類の前記呼び長さは、第２の繊維の種類の前記呼び長さよりも小さい、請求項１又は２に記載の補修用コンパウンド。
【請求項４】
第１の繊維の種類の前記呼び長さは、第２の繊維の種類の前記呼び長さの１０分の１以下である、請求項３に記載の補修用コンパウンド。
【請求項５】
前記繊維は、疎水性乾燥フィブリル化ポリエチレン繊維と親水性レーヨン繊維とを含む、請求項１乃至４の何れか１項に記載の補修用コンパウンド。
【請求項６】
前記より小さい粒径の合成無機充填剤粒子に対する前記より大きい粒径の合成無機充填剤粒子の粒径比は、少なくとも約５：１である、請求項１乃至５の何れか１項に記載の補修用コンパウンド。
【請求項７】
ラテックス樹脂又は樹脂結合剤と、
増粘剤と、
更に２種類の繊維と、
ガラスバブルと、を含む補修用コンパウンド。